(57)【要約】【課題】複数のＧＰＳ受信機器から場所情報を取得し、これを利用するＰＤＡやＰＣでの後処理の拡張性を向上し、さらに効率的に送信処理して利便性を向上させる。【解決手段】複数の撮影対象に設置した各ＧＰＳ受信機器からのＧＰＳ情報をメモリカードスロットル１２１経由で装着されたＢluetooth通信カード、またはＢluetooth通信回路１３０によりＧＰＳ受信機器と無線接続した無線通信でＧＰＳ情報を取り込む。Ｂluetooth通信のＳＰＰプロトコルでの無線接続が確立した後、ＧＰＳ受信機器から撮像装置へＧＰＳ情報（センテンスデータ）が送信される。撮像装置で受信したＧＰＳ情報は、表示手段に表示されると共に撮影した画像データに添付される。この画像データにＧＰＳ情報の添付された画像ファイルを用いることで、ＰＤＡやＰＣ等の外部機器での後処理の拡張性、その利便性の向上を図る。【選択図】図２
2008199356.tif 000002
【特許請求の範囲】
【請求項１】
複数の接続先と通信可能な無線通信機能および被写体像を撮影して画像データを得る撮影機能を有し、無線通信機能を有するＧＰＳ受信機器との間でポイント・ツー・ポイント・プロトコルにより無線接続した無線通信によって情報交換を行う撮像装置において、
前記複数のＧＰＳ受信機器とポイント・ツー・ポイント・プロトコルの無線接続を確立する接続手段と、前記無線接続の確立後の無線通信によって前記ＧＰＳ受信機器からのＧＰＳ情報を取得する取得手段と、前記ＧＰＳ受信機器から取得したＧＰＳ情報をリアルタイムに表示する表示手段と、前記ＧＰＳ受信機器から取得したＧＰＳ情報を撮影時に得た前記画像データに添付する添付手段とを備えたことを特徴とする撮像装置。
【請求項２】
前記複数のＧＰＳ受信機器から取得したＧＰＳ情報をユーザの操作に基づいて選択切替えする切替手段を備え、表示手段に表示する共に画像データに添付する前記ＧＰＳ情報を選択切替えすることを特徴とする請求項１記載の撮像装置。
【請求項３】
前記複数のＧＰＳ受信機器から取得したＧＰＳ情報を保持する保持手段を備え、前記ＧＰＳ受信機器からのＧＰＳ情報が測位から未測位の情報となった場合、または前記ＧＰＳ受信機器との無線接続が切断された場合、前記保持手段の保持するＧＰＳ情報を用いて表示手段により表示し、また添付手段により画像データに添付することを特徴とする請求項１記載の撮像装置。
【請求項４】
前記保持手段の保持する複数のＧＰＳ情報をユーザの操作に基づいて選択切替えする切替手段を備え、表示手段に表示すると共に画像データに添付するＧＰＳ情報の選択切替えすることを特徴とする請求項３記載の撮像装置。
【請求項５】
前記保持手段の保持するＧＰＳ情報を用いる場合に、前記保持手段の保持したＧＰＳ情報であることを示す識別情報を付与する付与手段を備え、前記付与手段によって前記ＧＰＳ情報を区別可能として、表示手段に表示すると共に画像データに添付することを特徴とする請求項３記載の撮像装置。
【請求項６】
前記撮影機能により得た画像データにＧＰＳ情報を添付し画像ファイルとして記録する記録手段と、前記無線通信機能により外部機器と無線通信を行う通信手段で用いる予め登録された接続設定を選択する選択手段を備え、
前記外部機器と無線通信を行う処理が選択されると同時に、前記選択された処理のバックグラウンドで前回接続の接続設定により前記通信手段の無線接続を確立する処理を実行することを特徴とする請求項１〜５のいずれか１項に記載の撮像装置。
【請求項７】
前記外部機器と無線通信を行う処理が、前記通信手段の無線接続を確立する処理の途中で解除された場合、前記無線接続を確立する処理を中止することを特徴とする請求項６記載の撮像装置。
【請求項８】
前記撮影機能により得た画像データにＧＰＳ情報を添付し画像ファイルとして記録する記録手段と、前記無線通信機能により外部機器と無線通信を行う通信手段で用いる予め登録されている接続設定を選択する選択手段を備え、
前記外部機器と無線通信を行う処理が選択決定されて、前記処理において接続先が選択されると同時に、前記選択決定された処理のバックグラウンドで前記接続先の接続設定により前記通信手段の無線接続を確立する処理を実行することを特徴とする請求項１〜５のいずれか１項に記載の撮像装置。
【請求項９】
前記外部機器と無線通信を行う処理において、前記外部機器へ送信する画像ファイルの選択が完了し、前記通信手段の無線接続を確立する処理が完了していないとき、前記外部機器と無線通信を行う処理を停止して前記通信手段の処理が完了するまで表示手段に接続中を表示することを特徴とする請求項８記載の撮像装置。
【請求項１０】
前記外部機器と無線通信を行う処理において、前記外部機器へ送信する画像ファイルの選択中に、前記通信手段の無線接続を確立する処理でエラーが発生したとき、前記画像ファイルの選択完了後に前記エラーの警告を行うことを特徴とする請求項８記載の撮像装置。
【請求項１１】
複数の接続先と通信可能な無線通信機能および被写体像を撮影して画像データを得る撮影機能を有し、無線通信機能を有するＧＰＳ受信機器との間でポイント・ツー・ポイント・プロトコルにより無線接続した無線通信によって情報交換を行う装置の撮像方法において、
接続手段により前記複数のＧＰＳ受信機器とポイント・ツー・ポイント・プロトコルの無線接続を確立する工程と、取得手段により前記無線接続の確立後の無線通信によって前記ＧＰＳ受信機器からのＧＰＳ情報を取得する工程と、表示手段に前記ＧＰＳ受信機器から取得したＧＰＳ情報をリアルタイムに表示する工程と、添付手段により前記ＧＰＳ受信機器から取得したＧＰＳ情報を撮影時に得た前記画像データに添付する工程とからなることを特徴とする撮像方法。
【請求項１２】
前記複数のＧＰＳ受信機器から取得したＧＰＳ情報をユーザの操作に基づいて選択切替えする工程を有し、表示手段に表示する共に画像データに添付する前記ＧＰＳ情報を選択切替えすることを特徴とする請求項１１記載の撮像方法。
【請求項１３】
前記複数のＧＰＳ受信機器から取得したＧＰＳ情報を保持手段に保持する工程を有し、前記ＧＰＳ受信機器からのＧＰＳ情報が測位から未測位の情報となった場合、または前記ＧＰＳ受信機器との無線接続が切断された場合、前記保持手段の保持するＧＰＳ情報を用いて表示手段により表示し、また添付手段により画像データに添付することを特徴とする請求項１１記載の撮像方法。
【請求項１４】
前記保持手段の保持する複数のＧＰＳ情報をユーザの操作に基づいて選択切替えする工程を有し、表示手段に表示すると共に画像データに添付するＧＰＳ情報の選択切替えすることを特徴とする請求項１３記載の撮像方法。
【請求項１５】
前記保持手段の保持するＧＰＳ情報を用いる場合に、付与手段により前記保持手段の保持したＧＰＳ情報であることを示す識別情報を付与する工程を備え、前記ＧＰＳ情報を区別可能として、表示手段に表示すると共に画像データに添付することを特徴とする請求項１３記載の撮像方法。
【請求項１６】
前記撮影機能により得た画像データにＧＰＳ情報を添付し画像ファイルとして記録する工程と、前記無線通信機能により外部機器と無線通信を行う通信手段で用いる予め登録されている接続設定を選択する工程とを有し、
前記外部機器と無線通信を行う処理が選択されると同時に、前記選択された処理のバックグラウンドで前回接続の接続設定により前記通信手段の無線接続を確立する処理を実行することを特徴とする請求項１１〜１５のいずれか１項に記載の撮像方法。
【請求項１７】
前記外部機器と無線通信を行う処理が、前記通信手段の無線接続を確立する処理の途中で解除された場合、前記無線接続を確立する処理を中止することを特徴とする請求項１６記載の撮像方法。
【請求項１８】
前記撮影機能により得た画像データにＧＰＳ情報を添付し画像ファイルとして記録する工程と、前記無線通信機能により外部機器と無線通信を行う通信手段で用いる予め登録されている接続設定を選択する工程とを有し、
前記外部機器と無線通信を行う処理が選択決定されて、前記処理において接続先が選択されると同時に、前記選択決定された処理のバックグラウンドで前記接続先の接続設定により前記通信手段の無線接続を確立する処理を実行することを特徴とする請求項１１〜１５のいずれか１項に記載の撮像方法。
【請求項１９】
前記外部機器と無線通信を行う処理において、前記外部機器へ送信する画像ファイルの選択が完了し、前記通信手段の無線接続を確立する処理が完了していないとき、前記外部機器と無線通信を行う処理を停止して前記通信手段の処理が完了するまで表示手段に接続中を表示することを特徴とする請求項１８記載の撮像方法。
【請求項２０】
前記外部機器と無線通信を行う処理において、前記外部機器へ送信する画像ファイルの選択中に、前記通信手段の無線接続を確立する処理でエラーが発生したとき、前記画像ファイルの選択完了後に前記エラーの警告を行うことを特徴とする請求項１８記載の撮像方法。
【発明の詳細な説明】
【技術分野】
【０００１】
本発明は、ＧＰＳ情報や画像ファイルの各情報を、無線通信を用いて授受する撮像装置および撮像方法に関するものである。
【背景技術】
【０００２】
近年、デジタルカメラ等の撮像装置における撮影方式として、様々な情報を撮影した画像と一緒に記録する方式が提案されている。画像と一緒に添付された情報は、ＰＤＡやＰＣなどに転送して、様々な後処理を行うための情報として利用される。その中で、ＧＰＳ情報などは、撮像装置に有するカードＩ／ＦにＧＰＳカードを挿入してＧＰＳ情報を取得したり、撮像装置に有するシリアルＩ／Ｆを介しＧＰＳ受信機器と接続してＧＰＳ情報を取得したりして、撮像装置内に取り込んだりする。または、撮像装置に有するカードＩ／ＦにＢluetooth（登録商標）の無線通信規格（以下、Ｂluetooth通信という）のＢluetooth通信カードを挿入し、このＢluetooth通信に対応して無線接続可能なＧＰＳ受信器との無線通信によりＧＰＳ情報を取得し撮像装置内に取り込んだりする。
【０００３】
このようなＧＰＳ受信機器からのＧＰＳ情報を無線通信により取得し、撮影画像データとともに記録するデジタルカメラが特許文献１，２に記載されている。
【０００４】
また、特許文献３には、デジタルカメラで撮影した画像の操作性を向上するため、デジタルカメラとファイルサーバをネットワークで接続し、電源をオン時に、起動処理の中でファイルサーバとのネットワーク接続を確立し、画像をファイルサーバへ自動で送信、またデジタルカメラの画像再生指示で、その画像がネットワークを介してダウンロードして表示すること、特許文献４には、選択された相手機器の機器種類に応じた機能モード項目を、例えば相手機器がプリンターであれば印刷モード項目に変え、また、選択相手機器の多機能に対応した機能モード項目を加えることで、同じ操作方法でも、多機能時だけ操作手順を増やすことで、周辺機器と通信操作がわかりやすく、操作を容易としたデジタルカメラが記載されている。
【０００５】
また、特許文献５には、ＬＡＮに対してブロードキャストによる問合せデータを送信して、ＬＡＮに接続されている機器からの問合せデータに対する応答データを受信時に、この応答データを送信した機器のＩＰアドレスを抽出し、このＩＰアドレスの機器に宛てて画像データを送信することで、ユーザによる送信先の特定作業を省力化するデジタルカメラが記載されている。
【特許文献１】特開２００６−０８６９２７号公報
【特許文献２】特開２００６−０３３１８６号公報
【特許文献３】特開２００４−１９３６９１号公報
【特許文献４】特開２００６−２０３６２５号公報
【特許文献５】特開２００４−１５９２８１号公報
【発明の開示】
【発明が解決しようとする課題】
【０００６】
本発明では、Ｂluetooth通信のような無線通信を利用した情報転送において、複数のＧＰＳ受信機器からのＧＰＳ情報を取得し、かつ外部機器への撮影情報の送信を効率的に行う撮像装置を提供して、複数のＧＰＳ受信機器からの複数の地点での場所情報を取得し、この情報を利用することによって、ＰＤＡ（Personal Digital Assistance）やＰＣ（Personal Computer）での後処理の拡張性を向上、さらに効率的な送信処理により、その利便性を向上させることを目的とする。
【課題を解決するための手段】
【０００７】
前記の目的を達成するために、本発明に係る請求項１記載の撮像装置は、複数の接続先と通信可能な無線通信機能および被写体像を撮影して画像データを得る撮影機能を有し、無線通信機能を有するＧＰＳ受信機器との間でポイント・ツー・ポイント・プロトコルにより無線接続した無線通信によって情報交換を行う撮像装置において、複数のＧＰＳ受信機器とポイント・ツー・ポイント・プロトコルの無線接続を確立する接続手段と、無線接続の確立後の無線通信によってＧＰＳ受信機器からのＧＰＳ情報を取得する取得手段と、ＧＰＳ受信機器から取得したＧＰＳ情報をリアルタイムに表示する表示手段と、ＧＰＳ受信機器から取得したＧＰＳ情報を撮影時に得た画像データに添付する添付手段とを備えたことによって、複数地点のＧＰＳ情報を撮影した画像データに添付することが可能となり、ＰＣやＰＤＡ等の画像データの後処理における拡張性、その利便性を向上できる。
【０００８】
また、請求項２に記載した撮像装置は、請求項１の撮像装置であって、複数のＧＰＳ受信機器から取得したＧＰＳ情報をユーザの操作に基づいて選択切替えする切替手段を備え、表示手段に表示する共に画像データに添付するＧＰＳ情報を選択切替えすることによって、複数地点のＧＰＳ情報を撮影した画像データに添付できると共に、添付する複数のＧＰＳ情報が選択可能となり、画像データの後処理での拡張性、その利便性をさらに向上できる。
【０００９】
また、請求項３〜５に記載した撮像装置は、請求項１の撮像装置であって、複数のＧＰＳ受信機器から取得したＧＰＳ情報を保持する保持手段を備え、ＧＰＳ受信機器からのＧＰＳ情報が測位から未測位の情報となった場合、またはＧＰＳ受信機器との無線接続が切断された場合、保持手段の保持するＧＰＳ情報を用いて表示手段により表示し、また添付手段により画像データに添付すること、さらに、保持手段の保持する複数のＧＰＳ情報をユーザの操作に基づいて選択切替えする切替手段を備え、表示手段に表示すると共に画像データに添付するＧＰＳ情報の選択切替えすること、または、保持手段の保持するＧＰＳ情報を用いる場合に、保持手段の保持したＧＰＳ情報であることを示す識別情報を付与する付与手段を備え、付与手段によってＧＰＳ情報を区別可能として、表示手段に表示すると共に画像データに添付することによって、ＧＰＳ受信機器との無線接続が切断されたり、測位データが得られなった場合でも複数地点のＧＰＳ情報を撮影した画像データに添付でき、また、添付するＧＰＳ情報が選択可能となり、画像データの後処理での拡張性、その利便性を向上でき、ＧＰＳ情報が保持手段に保持されたものか区別が容易にできる。
【００１０】
また、請求項６に記載した撮像装置は、請求項１〜５の撮像装置であって、撮影機能により得た画像データにＧＰＳ情報を添付し画像ファイルとして記録する記録手段と、無線通信機能により外部機器と無線通信を行う通信手段で用いる予め登録されている接続設定を選択する選択手段を備え、外部機器と無線通信を行う処理が選択されると同時に、選択された処理のバックグラウンドで前回接続の接続設定により通信手段の無線接続を確立する処理を実行することによって、無線ネットワークの接続先が前回接続した接続先と同じ場合に、無線接続の処理と選択された処理とが同時に行われているため短時間で通信処理に移ることができる。
【００１１】
また、請求項７に記載した撮像装置は、請求項６の撮像装置であって、外部機器と無線通信を行う処理が、通信手段の無線接続を確立する処理の途中で解除された場合、無線接続を確立する処理を中止することによって、電力消費を抑えることができる。
【００１２】
また、請求項８に記載した撮像装置は、請求項１〜５の撮像装置であって、撮影機能により得た画像データにＧＰＳ情報を添付し画像ファイルとして記録する記録手段と、無線通信機能により外部機器と無線通信を行う通信手段で用いる予め登録されている接続設定を選択する選択手段を備え、外部機器と無線通信を行う処理が選択決定され、この処理において接続先が選択されると同時に、選択決定された処理のバックグラウンドで接続先の接続設定により通信手段の無線接続を確立する処理を実行することによって、無線接続の処理と選択決定された処理とが同時に行われているため短時間で通信処理に移ることができる。
【００１３】
また、請求項９，１０に記載した撮像装置は、請求項８の撮像装置において、外部機器と無線通信を行う処理において、外部機器へ送信する画像ファイルの選択が完了し、通信手段の無線接続を確立する処理が完了していないとき、外部機器と無線通信を行う処理を停止して通信手段の処理が完了するまで表示手段に接続中を表示すること、また、外部機器と無線通信を行う処理において、外部機器へ送信する画像ファイルの選択中に、通信手段の無線接続を確立する処理でエラーが発生したとき、画像ファイルの選択完了後にエラーの警告を行うことによって、無線接続を確立する処理の完了まで選択した画像を送信する処理を停止するため、無線接続のエラー発生を確認でき、また、画像ファイルの選択完了後にエラー発生警告を行うことで、再度接続する処理を行う場合に、画像ファイルの選択処理をすることなく送信することができる。
【００１４】
また、請求項１１〜２０に記載した撮像方法は、請求項１〜１０の撮像装置を、工程に分けて記述し撮像方法としたものであって、その特徴は、前記請求項１〜１０の撮像装置と同様である。
【発明の効果】
【００１５】
本発明によれば、複数のＧＰＳ受信機器からの複数の地点での場所情報を取得し、この情報を利用することによって、ＰＤＡやＰＣでの後処理の拡張性、さらに効率的な送信処理をすることにより、その利便性を向上させることができるという効果を奏する。
【発明を実施するための最良の形態】
【００１６】
以下、図面を参照して本発明における実施の形態を詳細に説明する。
【００１７】
図１は本発明の実施形態１における撮像装置の一例であるデジタルカメラの外観を示す（ａ）は上面図、（ｂ）は正面図、（ｃ）は背面図である。また、図２はデジタルカメラ内部のシステム構成の概要を示すブロック回路図である。
【００１８】
図１，図２を参照しながら、本実施形態１におけるデジタルカメラの動作を説明する。
【００１９】
まず、図１（ａ），（ｂ），（ｃ）に示すように、デジタルカメラ本体の上面には、レリーズスイッチ（レリーズシャッタ）ＳＷ１、モードダイヤルスイッチＳＷ２、およびサブＬＣＤ（液晶ディスプレイ）１が配設されている。
【００２０】
また、デジタルカメラ本体の正面には、撮影レンズを含む鏡胴ユニット７、光学ファインダ４、ストロボ発光部３、測距ユニット５、リモートコントロール（リモコン）受光部６が設けられている。
【００２１】
デジタルカメラの背面には、電源スイッチＳＷ１３、ＬＣＤモニタ１０、ＡＦＬＥＤ８、ストロボＬＥＤ９、広角方向ズームスイッチＳＷ３、望遠方向ズームスイッチＳＷ４、セルフタイマの設定・削除するセルフタイマスイッチＳＷ５、メニュースイッチＳＷ６、上移動・ストロボセットスイッチＳＷ７、右移動スイッチＳＷ８、ディスプレイスイッチＳＷ９、下移動・マクロスイッチＳＷ１０、左移動・画像確認スイッチＳＷ１１、ＯＫスイッチＳＷ１２が設けられている。カメラ本体の側面にはメモリカード／電池装填室の蓋２が設けられている。
【００２２】
デジタルカメラの各部材の機能および作用は公知であるので、その説明は省略することにし、次にカメラの内部のシステム構成を図２に基づき図１を参照しながら説明する。
【００２３】
鏡胴ユニット７は、被写体の光学画像を取り込むズームレンズ７１ａ，ズーム駆動モータ７１ｂからなるズーム光学系７１、フォーカスレンズ７２ａ，フォーカス駆動モータ７２ｂからなるフォーカス光学系７２、絞り７３ａ，絞りモータ７３ｂからなる絞りユニット７３、メカシャッタ７４ａ，メカシャッタモータ７４ｂからなるメカシャッタユニット７４、各モータを駆動するモータドライバ７５を有する。そして、モータドライバ７５は、リモコン受光部６入力や操作キーユニット（操作スイッチＳＷ１〜ＳＷ１３からなる）の操作入力に基づく、後述するデジタルスチルカメラプロセッサ１０４内にあるＣＰＵブロック１０４３からの駆動指令により駆動制御される。
【００２４】
ＲＯＭ１０８には、ＣＰＵブロック１０４３にて解読可能なコードで記述された、制御プログラムや制御するためのパラメータが格納されている。このデジタルカメラの電源がオン状態になると、プログラムは不図示のメインメモリにロードされ、ＣＰＵブロック１０４３はそのプログラムに従って装置各部の動作を制御するとともに、制御に必要なデータ等を、一時的に、ＲＡＭ１０７、および後述するデジタルスチルカメラプロセッサ１０４内にあるローカルＳＲＡＭ１０４４に保存する。ＲＯＭ１０８に書き換え可能なフラッシュＲＯＭを使用することで、制御プログラムや制御するためのパラメータを変更することが可能となり、機能のバージョンアップが容易に行える。
【００２５】
ＣＣＤ１０１は、光学画像を光電変換するための固体撮像素子であり、Ｆ／Ｅ（フロントエンド）−ＩＣ１０２は、画像ノイズ除去用の相関二重サンプリングを行うＣＤＳ１０２１、利得調整を行うＡＧＣ１０２２、デジタル信号変換を行うＡ／Ｄ１０２３、第１ＣＣＤ信号処理ブロック１０４１より、垂直同期信号（以下、ＶＤという）、水平同期信号（以下、ＨＤという）を供給され、ＣＰＵブロック１０４３によって制御されるＣＣＤ１０１、およびＦ／Ｅ−ＩＣ１０２の駆動タイミング信号を発生するＴＧ１０２４を有する。
【００２６】
デジタルスチルカメラプロセッサ１０４は、ＣＣＤ１０１よりＦ／Ｅ―ＩＣ１０２の出力データにホワイトバランス設定やガンマ設定を行い、また前述したように、ＶＤ信号，ＨＤ信号を供給する第１ＣＣＤ信号処理ブロック１０４１、フィルタリング処理により、輝度データ・色差データへの変換を行う第２ＣＣＤ制御ブロック１０４２、前述した装置各部の動作を制御するＣＰＵブロック１０４３、前述した制御に必要なデータ等を、一時的に、保存するローカルＳＲＡＭ１０４４、パーソナルコンピュータ（以下、パソコンという）などの外部機器とＵＳＢ通信を行うＵＳＢブロック１０４５、パソコンなどの外部機器とシリアル通信を行うシリアルブロック１０４６、ＪＰＥＧ圧縮・伸張を行うＪＰＥＧＣＯＤＥＣブロック１０４７、画像データのサイズを補間処理により拡大／縮小するＲＥＳＩＺＥブロック１０４８、画像データを液晶モニタやＴＶなどの外部表示機器に表示するためのビデオ信号に変換するＴＶ信号表示ブロック１０４９、撮影された画像データを記録するメモリカードの制御を行うメモリカードコントローラブロック１０４１０を有する。
【００２７】
ＳＤＲＡＭ１０３は、前述したデジタルスチルカメラプロセッサ１０４で画像データに各種処理を施す際に、画像データを一時的に保存する。ここに保存される画像データは、例えば、ＣＣＤ１０１から、Ｆ／Ｅ−ＩＣ１０２を経由して取り込んで、第１ＣＣＤ信号処理ブロック１０４１でホワイトバランス設定、ガンマ設定が行われた状態の「ＲＡＷ−ＲＧＢ画像データ」や第２ＣＣＤ制御ブロック１０４２で輝度データ・色差データ変換が行われた状態の「ＹＵＶ画像データ」、ＪＰＥＧＣＯＤＥＣブロック１０４７で、ＪＰＥＧ圧縮された「ＪＰＥＧ画像データ」などである。
【００２８】
メモリカードスロットル１２１は、着脱可能なメモリカードを装着するためのスロットルである。メモリカードスロットル１２１は、メモリカード以外に、着脱可能なＬＡＮカードや、無線ＬＡＮカードや、Ｂluetooth通信カードなどのＩＯカードも装着可能とする。撮影された画像は、ＩＯカード経由で外部機器に転送することも可能とする。
【００２９】
また、装置本体に設けたＢluetooth通信回路１３０は、前述のＢluetooth通信カードと同様に、外部機器と無線通信を行うための無線通信回路で、撮影された画像は、Ｂluetooth通信回路１３０経由で外部機器に転送することが可能とする。
【００３０】
内蔵メモリ１２０は、前述したメモリカードスロットル１２１にメモリカードが装着されていない場合でも、撮影した画像データを記憶できるようにするためのメモリである。
【００３１】
ＬＣＤドライバ１１７は、後述するＬＣＤモニタ１０を駆動するドライブ回路であり、ＴＶ信号表示ブロック１０４９から出力されたビデオ信号を、ＬＣＤモニタ１０に表示するための信号に変換する機能も有している。
【００３２】
ＬＣＤモニタ１０は、撮影前に被写体の状態を監視する、撮影した画像を確認する、メモリカードや前述した内蔵メモリ１２０に記録した画像データを表示する、などを行うためのモニタである。
【００３３】
ビデオＡＭＰ１１８は、ＴＶ信号表示ブロック１０４９から出力されたビデオ信号を、７５Ωインピーダンス変換するためのアンプであり、ビデオジャック１１９は、ＴＶなどの外部表示機器と接続するためのジャックである。
【００３４】
ＵＳＢコネクタ１２２は、パソコンなどの外部機器とＵＳＢ接続を行うためのコネクタである。
【００３５】
シリアルドライバ回路１２３１は、パソコンなどの外部機器とシリアル通信を行うために、前述したシリアルブロック１０４６の出力信号を電圧変換するための回路であり、ＲＳ−２３２Ｃコネクタ１２３２は、パソコンなどの外部機器とシリアル接続を行うためのコネクタである。
【００３６】
サブＣＰＵ１０９は、ＲＯＭ・ＲＡＭをワンチップに内蔵したＣＰＵであり、操作キーユニット（ＳＷ１〜１３）やリモコン受光部６の出力信号をユーザの操作情報として、前述したＣＰＵブロック１０４３に出力したり、前述したＣＰＵブロック１０４３より出力されるカメラの状態を、後述するサブＬＣＤ１，ＡＦＬＥＤ８，ストロボＬＥＤ９，ブザー１１３の制御信号に変換して出力する。
【００３７】
サブＬＣＤ１は、例えば、撮影可能枚数など表示するための表示部であり、ＬＣＤドライバ１１１は、前述したサブＣＰＵ１０９の出力信号より、前述したサブＬＣＤ１を駆動するためのドライブ回路である。
【００３８】
ＡＦＬＥＤ８は、撮影時の合焦状態を表示するためのＬＥＤであり、ストロボＬＥＤ９は、ストロボ充電状態を表すためのＬＥＤである。なお、このＡＦＬＥＤ８とストロボＬＥＤ９を、メモリカードアクセス中などの別の表示用途に使用しても良い。
【００３９】
操作キーユニット（ＳＷ１〜１３）は、ユーザが操作するキー回路であり、リモコン受光部６は、ユーザが操作したリモコン送信機の信号の受信部である。
【００４０】
音声記録ユニット１１５は、ユーザが音声信号を入力するマイク１１５３、入力された音声信号を増幅するマイクＡＭＰ１１５２、増幅された音声信号を記録する音声記録回路１１５３からなる。
【００４１】
音声再生ユニット１１６は、記録された音声信号をスピーカーから出力できる信号に変換する音声再生回路１１６１、変換された音声信号を増幅してスピーカーを駆動するためのオーディオＡＭＰ１１６２、音声信号を出力するスピーカー１１６３からなる。
【００４２】
Ｂluetooth通信をする機器への接続は、Ｂluetooth通信回路１３０により行う。もしくは、Ｂluetooth通信回路１３０がない場合は、メモリカードスロットル１２１にＢluetooth通信カードを接続することにより、Ｂluetooth通信の機器と接続することができる。また、イーサネット（登録商標）への接続は、イーサネット（登録商標）接続回路もしくは無線イーサネット（登録商標）接続回路（図示せず）により行う。もしくは、イーサネット（登録商標）回路がない場合は、メモリカードスロットル１２１に、ＬＡＮカードもしくは無線ＬＡＮカードを接続することにより、ネットワークへ接続することができる。
【００４３】
また、図３は本実施形態１における撮像装置の別の一例である撮影機能を有するＰＤＡ情報端末装置を示すブロック図である。図３を参照しながらＰＤＡ情報端末装置の動作を説明する。
【００４４】
図３に示すように、ＰＤＡ情報端末装置は、システムバス３１と、ＣＰＵ３２と、プログラムを格納するＰＲＯＭ３３と、プログラムやデータのワーク領域のＲＡＭ３４と、撮影された画像ファイルや、システムファイルや、データファイルなどを格納する内蔵メモリ３５と、シャッタや、ズームキーなどのハードキー３７を検出するキーＩ／Ｆ制御部３６と、カメラ部３９と、カメラ部３９を制御するカメラ制御部３８と、カメラ制御部３８から取り込まれた画像をＪＰＥＧに圧縮したり、メモリに格納されているＪＰＥＧデータを解凍したりする画像圧縮伸張制御部４２と、カメラ制御部３８からの画像データや、画像圧縮伸張制御部４２からの画像データをＬＣＤ部４１に映像信号として出力したりする画像制御部４０と、ＵＳＢＩ／Ｆ制御部４３と、プリンター装置５１と接続するＵＳＢケーブル４４と、ＣＦ（Compact Flash）制御部４５と、ＣＦ Ｉ／Ｆ４６と、ＣＦ Ｉ／Ｆ４６に挿入される通信カード４７と、ＳＤカード制御部１８と、ＳＤカードＩ／Ｆ４９と、ＳＤカードＩ／Ｆ４９に挿入されるＳＤカード５０と、ＵＳＢケーブル４４もしくは通信カード４７経由でＰＤＡ情報端末装置と接続されるプリンター装置５１と、マイク５３と、マイク５３からのアナログ音声信号をデジタル変換するＡ／Ｄ変換部５２から構成されている。
【００４５】
ＰＤＡ情報端末装置の通常の撮影は、ハードキー３７で撮影開始を認識する。カメラ部３９で画像を取り込む。カメラ部３９から出力される画像信号を画像制御部４０がＲＧＢデータや、ＹＣｂＣｒデータなどのフレームデータに変換し必要な画像処理を行った後、画像データをＲＡＭ３４に転送する。転送された画像データは画像圧縮伸長制御部４２で、ＪＰＥＧなどの画像データに圧縮され再びＲＡＭ３４に転送される。ＲＡＭ３４に格納されたＪＰＥＧなどの画像データは、必要なヘッダ処理を行った後、内蔵メモリ３５もしくはＳＤカード制御部４８を介してＳＤカード５０に記録される。
【００４６】
図２に示した、デジタルカメラのブロック図と比較すると、鏡胴ユニット７がカメラ部３９に、ＣＣＤ１０１を含むＦ／Ｅ（フロントエンド）−ＩＣ１０２がカメラ制御部３８に、第１ＣＣＤ信号処理ブロック１０４１と第２ＣＣＤ信号処理ブロック１０４２が画像制御部４０に該当する。また、図３のＰＤＡ情報端末装置のカメラ機能の部分は、図２に示したデジタルカメラと性能面では劣る場合もあるが、基本的な機能は同じである。
【００４７】
本発明では、デジタルカメラでも、ＰＤＡ情報端末装置であっても、基本的な撮影機能が実装されていれば実現可能である。
【００４８】
本実施形態１における、ＧＰＳ受信機器のＧＰＳ情報を取得する通常のＧＰＳ機能としては、例えば図２に示すメモリカードスロットル１２１経由で装着されたＧＰＳカードからＧＰＳ情報を装置内に取り込むことができる。また本実施形態１のＧＰＳ機能では、図２のメモリカードスロットル１２１経由で装着されたＢluetooth通信カードによって、外部のＧＰＳ受信機器と無線接続した無線通信によりＧＰＳ情報を装置内に取り込む。もしくは、図２のＢluetooth通信回路１３０によって、外部のＧＰＳ受信機器と無線接続した無線通信によりＧＰＳ情報を装置内に取り込む。そして、この装置本体のＧＰＳ情報と、例えば複数の撮影対象に設置したＧＰＳ受信機器からのＧＰＳ情報を合わせて取り込むことができる。
【００４９】
図４は本実施形態１におけるＧＰＳ情報をＯＳＤ（On Screen Display）の標準ディスプレイモードによる表示例を示す図である。図４に示す標準ディスプレイモードでは、例えば、衛星の捕捉状況を示すアイコン情報（％）と、緯度、経度を示す情報（Ｅ：１３５、Ｎ：０３４）と、捕捉衛星数および可視衛星数を示す情報（ｘ４（７））と、測位次元を示す情報（３ｄ）と、測位品質を示す情報（ｄｉｆｆ）とが表示される。
【００５０】
また、図５は本実施形態１におけるＧＰＳ情報をＯＳＤのＧＰＳディスプレイモードによる表示例を示す図である。図５に示すＧＰＳディスプレイモードでは、例えば、衛星の捕捉状況を示すアイコン情報（％）と、緯度、経度を示す情報（Ｅ：１３５°１２′３４．１″、Ｎ：０３４°１２′３４．１″）と、捕捉衛星数および可視衛星数を示す情報（ｘ４（７））と、測位次元を示す情報（３ｄ）と、測位品質を示す情報（ｄｉｆｆ）と、どのＧＰＳ受信端末から受信したかを示す機器名称（［ＧＰＳ１］）が表示される。
【００５１】
図２に示したデジタルカメラは、メモリカードスロットル１２１経由で、装着されたＢluetooth通信カードを使用するか、もしくはＢluetooth通信回路１３０を使用して、Ｂluetooth通信を実現する。
【００５２】
図６に本実施形態１における無線接続して通信を行うＢluetoothプロトコルスタック構造を示す。図６に示すように、装置側のＢluetoothプロトコルスタックは、ハードウェア（ＨＷ）を直接制御するＨＷデバイスドライバと、ホストとホストコントローラとの通信を制御するＨＣＩ（Host Controller Interface）と、論理チャンネルの設定およびレイヤパケットの分割，組み立てを行うＬ２ＣＡＰ（Logical Link Control and Adaptation Protocol）と、Ｂluetooth通信のプロトコルをＲＳ２３２Ｃ等のＩ／Ｆに変換するＲＦＣＯＭＭと、データ（オブジェクト）の送信／受信を行うＯＢＥＸ（Object Exchange）と、Ｂluetooth通信機器のサービスを検索するＳＤＰ（Service Discovery Protocol）と、ダイヤルアップ通信を実現するＤＵＮ（Dial Up Network）と、画像の送信／受信を行うＢＩＰ（Basic Image Protocol）と、シリアル通信を実現するＳＰＰ（Serial Port Profile）とから構成されている。
【００５３】
そして、ユーザ・アプリケーションとして、ＢＩＰを制御して画像の送信／受信を実現するＢＩＰアプリケーションと、ＯＢＥＸを制御してファイル送信／受信を実現するＯＰＰアプリケーションと、ＤＵＮを制御してダイヤルアップ通信を実現するネットワーク・アプリケーションと、ＳＰＰを制御してシリアル通信を実現するＳＰＰアプリケーションと、ＳＤＰを制御してＢluetooth通信機器の検索を行うＳＤＰアプリケーションから構成されている。
【００５４】
また、メモリカードスロットル１２１を介したＢluetooth通信カードには、ホストとホストコントローラとの通信を制御するＨＣＩファームウェアと、Ｂluetooth通信機器間の接続の確立を制御するリンク・マネージャー（Link Manager）ファームウェアと、物理的な無線部分とＢluetoothプロトコルを接続するベースバンド・コントローラ（Baseband Controller）から構成されている。
【００５５】
図７に本実施形態１である撮像装置（デジタルカメラ、撮影機能付きのＰＤＡ情報端末装置等）とＧＰＳ受信機器とのＳＰＰ（Serial Port Profile）プロトコルによるシーケンス図を示す。このＳＰＰプロトコルは、Ｂluetooth通信のシリアル通信機能を提供する。いま、撮像装置が、ＧＰＳ受信機器に対して、Ｂluetooth通信のＳＰＰプロトコルにより接続を要求する。この接続要求はＧＰＳ受信機器側から実行してもかまわない。撮像装置とＧＰＳ受信機器の間で、Ｂluetooth通信のＳＰＰプロトコルによる無線接続が確立した後は、ＧＰＳ受信機器から撮像装置へ無線通信によりＧＰＳ情報（センテンスデータ）が送信される。
【００５６】
撮像装置で受信されたＧＰＳ情報は、例えば、前述の図４に示したような、標準ディスプレイモードでは、衛星の捕捉状況を示すアイコン情報（％）と、緯度，経度を示す情報（Ｅ：１３５、Ｎ：０３４）と、捕捉衛星数および可視衛星数を示す情報（ｘ４（７））と、測位次元を示す情報（３ｄ）と、測位品質を示す情報（ｄｉｆｆ）が表示される。
【００５７】
ユーザが、Ｂluetooth通信のＳＰＰプロトコルによる無線接続の切断を要求するか、装置の電源をＯＦＦした場合には、撮像装置からＧＰＳ受信機器に対して、Ｂluetooth通信のＳＰＰプロトコルによる切断を要求する。また、この切断要求はＧＰＳ受信機器側から実行してもかまわない。
【００５８】
図８に本実施形態１におけるＧＰＳ情報のデータフォーマットの例を示す。図８に示すデータフォーマットは、図７のＢluetooth通信のＳＰＰプロトコルによるシーケンスにおいて使用される。このＧＰＳ情報のデータフォーマットは、例えば、ＮＭＥＡ（National Maritime Electronics Association：米国舶用電子機器連合会）形式などの規格があり、アスキーコードの文字列形式のフォーマットとなっている。ＧＰＳ受信機器は、図８に示したデータフォーマットに従いデータを送信し、撮像装置では、図８に示したデータフォーマットに従い図４に示したようにＧＰＳ情報を表示する。
【００５９】
図９に本実施形態１であるＢluetooth通信のＳＰＰプロトコルによるマルチ接続のシーケンス図を示す。前述したようにＳＰＰプロトコルは、Ｂluetooth通信のシリアル通信機能を提供し、撮像装置では、各ＧＰＳ受信機器に対して、Ｂluetooth通信のＳＰＰプロトコルにより接続を要求する。この接続は各ＧＰＳ受信機器側から実行してもかまわない。そして、撮像装置と第１ＧＰＳ受信機器の間で、Ｂluetooth通信のＳＰＰプロトコルによる無線接続が確立した後は、第１ＧＰＳ受信機器から撮像装置へ無線通信によりＧＰＳ情報（センスデータ）が送信される。
【００６０】
撮像装置で受信されたＧＰＳ情報は、例えば、前述の図４に示したような、標準ディスプレイモードでは、衛星の捕捉状況を示すアイコン情報（％）と、緯度，経度を示す情報（Ｅ：１３５、Ｎ：０３４）と、捕捉衛星数および可視衛星数を示す情報（ｘ４（７））と、測位次元を示す情報（３ｄ）と、測位品質を示す情報（ｄｉｆｆ）とが表示される。
【００６１】
その後、ユーザがＢluetooth通信のＳＰＰプロトコルによる無線接続の切断を要求するか、装置の電源をＯＦＦした場合には、撮像装置から第１ＧＰＳ受信機器に対して、Ｂluetooth通信のＳＰＰプロトコルにより切断を要求する。
【００６２】
以上が、撮像装置と第１ＧＰＳ受信機器とのＢluetooth通信のＳＰＰプロトコルを利用したＧＰＳ情報の転送処理であるが、Ｂluetooth通信のＳＰＰプロトコルの場合、撮像装置から複数のＧＰＳ受信機器に対して、ＧＰＳ受信機器１で実施された同じ通信を同時に実行することが可能である。同時に接続された状態では、複数のＧＰＳ受信機器からのＧＰＳ情報を受信することになるが、Ｂluetooth通信のＳＰＰプロトコルでは、どのＧＰＳ受信機器からのＧＰＳ情報を受信したかを区別することができる。
【００６３】
また、本実施形態１の撮像装置は、無線通信機能を有するＧＰＳ受信機器の複数と、複数の接続先と接続可能な無線通信機能および撮影機能を有する撮像装置の間で、ポイント・ツー・ポイント・プロトコルの無線接続による無線通信を行って、情報交換が可能である。図９に示したように、撮像装置で複数のＧＰＳ受信機器とポイント・ツー・ポイント・プロトコルの無線接続により無線通信を実行する。この無線接続（ＳＰＰプロトコル）の確立後の無線通信を利用して第１〜第３ＧＰＳ受信機器からのＧＰＳ情報（センテンスデータ）を撮像装置で受信する。撮影装置で、第１〜第３ＧＰＳ受信機器から受信したＧＰＳ情報を、撮像装置本体のＧＰＳ情報を含むそれ以外の情報と分類してリアルタイムに表示する。
【００６４】
例えば、図５に示したようにＧＰＳ情報に加えてＧＰＳ受信機器の機器名称（［ＧＰＳ１］）を表示する。このような表示画面を無線接続した複数のＧＰＳ受信機器分を自動的に用意して、ハードキーを使って、交互に切替えて表示してもかまわない。このとき、複数地点のＧＰＳ情報の中から、適当な１つを撮像装置において位置情報として表示する。認識されたＧＰＳ受信機器端末の機器名称については、その表示に際して、色等を変えてもかまわない。撮像装置で、撮影時に複数のＧＰＳ受信機器から受信したＧＰＳ情報を、このＧＰＳ情報と他の情報（例えば、ＥＸＩＦ規格のファイルフォーマットでのＧＰＳ情報に関する付属情報として撮像装置自体のＧＰＳ情報）とに分類して自動的に撮影した画像データに添付する。このとき、撮像装置により位置情報として指定されたＧＰＳ情報については、撮影した画像データのヘッダ規格であるＥＸＩＦ規格に従って、メーカ毎で独自に定義可能な領域にその情報が添付される。
【００６５】
なお、他の情報（撮像装置自体のＧＰＳ情報）については、ＥＸＩＦ規格に従ったフォーマットでなくとも良く、独自のフォーマットを使用して、複数のＧＰＳ受信機器端末分のＧＰＳ情報と共に分類して設定しても良い。この撮影された画像データに、添付された複数地点のＧＰＳ情報により、ＰＣやＰＤＡにおける後処理での撮影場所、撮影方向や撮影距離などの正確な情報を得ることが可能となる。
【００６６】
また、撮像装置で複数のＧＰＳ受信機器とポイント・ツー・ポイント・プロトコルの無線接続により無線通信を実行して、無線接続の確立後にユーザの操作で、撮像装置のＧＰＳ情報を選択切替えることができる。前述の説明において、例えば、図５に示したようにＧＰＳ情報に加えてＧＰＳ受信機器の機器名称を表示する。このような表示画面を接続した複数のＧＰＳ受信機器分を自動的に用意して、ハードキーを使ってトグルに切替える。さらに、複数地点のＧＰＳ情報の中から、適当な１つを撮像装置において位置情報として認識するとなっているが、ユーザがハードキーの操作を行って、現在、撮像装置の認識している複数のＧＰＳ情報もしくは、ＧＰＳ受信機器の中から選択することも可能である。
【００６７】
また、複数のＧＰＳ受信機器においてのＧＰＳ情報が測位から未測位になった場合、もしくは複数ＧＰＳ受信機器と撮像装置との無線接続が切断された場合、測位中のＧＰＳ情報をメモリに保持する。複数のＧＰＳ受信機器からのＧＰＳ情報が未測位であり、また正常に受信されない場合で、先に測位されたまたは正常に受信されたＧＰＳ情報がメモリに保存されている場合、撮像装置において、メモリに保存されているＧＰＳ情報を、ＧＰＳ受信機器からのＧＰＳ情報として用いて、リアルタイムに表示し、また撮影データに添付する。以上の処理を実施することによって、複数地点のＧＰＳ情報を撮影データに添付する際、ＧＰＳ受信機器からのＧＰＳ情報が得られないような場合でも複数地点のＧＰＳ情報を撮影データに添付することが可能となり、ＰＣやＰＤＡでの撮影画像の後処理での拡張性、その利便性を向上できる。さらに、メモリに格納されているＧＰＳ情報においても、ユーザの操作により選択切替え可能とする。
【００６８】
また、前述のメモリに保存されているＧＰＳ情報を用いる場合、ＧＰＳ受信機器から得たＧＰＳ情報と区別できるように識別情報を付与する。例えば、識別情報として、未測位のときのＧＰＳステータスやＢluetooth通信による無線接続が確立できないときのステータス情報等を利用する。これにより、画像データに添付されたＧＰＳ情報がメモリに保持されたものであるか否かを区別することが容易となる。なお、撮像装置自身にＧＰＳ受信機器の機能を有していれば、ＧＰＳ情報を取得可能であるが、前述したＧＰＳ受信機器との無線接続により取得するようにしても良く、自身のＧＰＳ情報を表示、画像データに添付することもできる。
【００６９】
本発明の実施形態２として、実施形態１の撮像装置においてＧＰＳ情報を添付した画像データを画像ファイルとして記録手段に記録し、撮影画像の後処理を行う外部機器であるＰＣやＰＤＡに画像ファイルを送信する処理について説明する。
【００７０】
本実施形態２の画像ファイルを送るため外部機器と通信する無線ネットワークへの接続は、撮像装置に予め登録されている接続設定を使用して行われる。この接続設定は、予めＰＣ等で編集したものを撮像装置の内部の図２に示すＲＡＭ１０７へ保存したり、もしくは、撮像装置上で編集してＲＡＭ１０７へ保存したものである。接続設定の例を図１０に示す。
【００７１】
図１０に示す例では、「接続先１．」，「接続先２．」，「接続先３．」の３種類の接続先が登録されている。接続名は、接続先を選択するときに、どの接続かわかりやすいように付けられた名前である。無線接続形態は、無線ＬＡＮにおけるInfrastructureモードか、AdHocモードを使用するかが設定される。ＥＳＳ−ＩＤ（Extended Service Set Identifier）は、無線接続形態で使うＥＳＳ−ＩＤが設定されている。通信チャンネルは、無線ＬＡＮでのチャンネル設定が設定されている。暗号化は、暗号化方式に何を使用するかが設定されている。ＷＥＰ（Wired Equivalent Privacy）キーは、暗号化のキーである。
【００７２】
図１１は本実施形態２における外部機器との通信処理の手順を示すフローチャートである。まず、撮像装置の電源が投入されると（Ｓ１）、撮像装置は画像再生状態になる。この状態で、図１（ｃ）のメニュースイッチＳＷ６により選択されてキーが押されると（Ｓ２）、無線ネットワークの接続先選択の画面（図１２参照）が表示される（Ｓ３）。
【００７３】
また、処理Ｓ３における接続先選択の画面の表示と同時に、図１３に示す無線ネットワーク接続処理が開始される。撮像装置では、最後に接続された無線ネットワークの接続先を覚えており、この接続設定に基づき最後に接続された無線ネットワークへの接続処理を開始する。この図１３の無線ネットワークへの接続処理は、処理Ｓ３の後に行われる無線ネットワークの接続先選択の処理（Ｓ４，Ｓ５）と並行して行われる。
【００７４】
図１３の無線ネットワークへの接続処理のフローチャートにおいて、まず、前回接続した接続設定の無線接続手順により行う（Ｓ１５）。この無線接続手順は、「ＩＥＥＥ  ８０２．１１ｂ，ｇ」のような、その無線規格の手順で行われる。そして、ＤＨＣＰサーバにネットワーク設定要求を出し、ネットワーク設定を取得する（Ｓ１６）。そして、取得したネットワーク設定により、ネットワークと接続を行う（Ｓ１７）。これで、無線ネットワークへの無線接続手順が完了する。
【００７５】
この無線ネットワークへの接続処理をバックグラウンドにて行いながら、選択処理続行の場合、図１１に示す無線ネットワークの接続先選択処理（Ｓ４，Ｓ５）が行われる。
【００７６】
無線ネットワークの接続先選択の画面（図１２参照）が表示されてから、撮像装置のユーザは、例えば図１（ｃ）の上，下移動スイッチＳＷ７，１０を使用して、無線ネットワークの接続先（接続設定）を選択する（Ｓ４）。そして、ＯＫスイッチＳＷ１２が押されると無線ネットワークの接続先が決定される（Ｓ５）。
【００７７】
処理Ｓ５で無線ネットワークの接続先が決定されたとき、バックグラウンドで行われていた無線ネットワークの接続状態を確認する（Ｓ６）。処理Ｓ６において、バックグラウンドで処理した接続先と処理Ｓ５で選択された接続先が同じ場合で、バックグラウンドの無線ネットワークの接続処理が完了していない場合、接続処理が完了するまで、表示手段に図１４に示す「接続中」の表示を行う（Ｓ７）。
【００７８】
また、処理Ｓ６において、バックグラウンドで処理した接続先と処理Ｓ５で選択された接続先が異なる場合は、バックグラウンドで行っていた無線ネットワークの接続処理を中断し、処理Ｓ５で選択された接続先の接続設定で無線ネットワークの接続処理を開始する（Ｓ８）。そして、接続処理が完了するまで図１４の「接続中」の表示を行う（Ｓ９）
そして、処理Ｓ６において、バックグラウンドの無線ネットワークの接続処理が完了した場合、処理Ｓ７の「接続中」の表示中にバックグラウンドの接続処理が完了した場合、および処理Ｓ８，Ｓ９において、処理Ｓ５で選択された接続先との無線ネットワークの接続処理が完了した場合、次の処理（Ｓ１０）例えば外部機器に送信する画像ファイルの選択処理等の処理を行う。
【００７９】
また、処理Ｓ３接続先選択の画面の表示後に、無線ネットワークの接続先の選択する処理とは異なる処理を選択するキー操作がなされ、選択処理中止の場合、無線ネットワークの接続先の選択処理を中止し（Ｓ１１）、またバックグラウンドの無線ネットワークへの接続処理も中止して（Ｓ１２）、次の操作指示を待つため画像再生状態（処理Ｓ２）に戻る。
【００８０】
また、図１５は本実施形態２におけるもう一つの外部機器との通信処理の手順を示すフローチャートである。撮像装置の電源が投入されると（Ｓ２１）、撮像装置は画像再生状態になる。この状態で、図１（ｃ）のメニュースイッチＳＷ６により選択されキーが押されると（Ｓ２２）、画像ファイルを送信するため通信モード選択の画面（図１６参照）が表示される。図１６に示す通信モード選択の画面では、プリンターへ画像を送信して印刷するか、ＰＣ等に画像を送信するかを選択する。撮像装置のユーザは、例えば図１（ｃ）の上，下移動スイッチＳＷ７，１０を使用して、通信モードを選択する。そして、ＯＫスイッチＳＷ１２が押されると処理する通信モードが決定される（Ｓ２３）。
【００８１】
通信モードが決定されると、さらに外部機器との無線ネットワークの接続先選択の画面（図１２参照）が表示される。同様にユーザは下移動スイッチＳＷ７，１０を使用して、無線ネットワークの接続先（接続設定）を選択する。そして、ＯＫスイッチＳＷ１２が押されると無線ネットワークの接続先が決定される（Ｓ２４）。
【００８２】
無線ネットワークの接続先が決定されると、撮影した記録手段に記録された画像ファイルが再生され、送信する画像ファイルを選択する処理を行う（Ｓ２５）。これと同時にバックグラウンドにおいて、選択した接続設定で無線ネットワークへの接続処理が開始される。無線ネットワークへの接続処理は、処理Ｓ２３の画像ファイルを選択する処理、例えば画像印刷する画像ファイルの選択処理（Ｓ２６，Ｓ２７）と並行して行われる。
【００８３】
処理２６の送信するため画像ファイルを選択として、図１（ｃ）の右，左移動スイッチＳＷ８，１１を押すことで、前の画像、次の画像がＬＣＤモニタ１０に表示され、画像印刷（送信）する画像ファイルを選択できる。そして、ＯＫスイッチＳＷ１２が押されると画像ファイルが決定される（Ｓ２７）。
【００８４】
前述の説明では、送信する画像ファイルの１枚を選択する処理について述べたが、複数の画像ファイルを表示したマルチ画面で画像ファイルを選択処理するような場合もある。マルチ画面での複数枚の画像選択は、マルチ画面上で、上下左右キー（上，下，左，右移動スイッチＳＷ７，１０，１１，８）で送信する画像を選択し、ディスプレイスイッチＳＷ９で送信する画像ファイルを決定する。この送信する画像ファイルの選択、決定の操作を繰り返して、複数の画像ファイルを選択することができる。そして、ＯＫスイッチＳＷ１２が押されると画像印刷（送信）する画像ファイルが決定され。
【００８５】
また、この送信する画像ファイルの選択処理中に、ユーザによりキャンセル処理が行われた（例えば、メニュースイッチＳＷ６が押された）場合（Ｓ２８）、バックグラウンドで行われていた、無線ネットワークの接続処理を中止する（Ｓ２９）、そして、次の操作指示を待つ通常画像再生状態（Ｓ２２）に戻る。
【００８６】
処理Ｓ２７において、画像印刷（送信）する画像ファイルが決定されたとき、バックグラウンドでの接続状態を確認し（Ｓ３０）、無線ネットワークへの接続処理が完了していない場合は、接続が完了するまで、接続中（図１４参照）の画面を表示する（Ｓ３１）。
【００８７】
また、無線ネットワークの接続エラーを確認し（Ｓ３２）、送信する画像ファイルの選択中に、無線ネットワークに接続エラーがあった場合、その時点でエラー表示は行わず、送信する画像ファイルが決定してから、エラー警告を行い（Ｓ３３）、次の操作指示を待つ通常画像再生状態（Ｓ２２）に戻る。
【００８８】
なお、エラー警告があった場合、選択された送信画像は、記憶手段に記憶しておき、再度送信する画像ファイルを選択する状態になったとき、前回選択した画像ファイルは選択された状態となる。また、エラー警告のない場合は送信開始の決定画面を表示する（Ｓ３４）。
【００８９】
以上のように、ＧＰＳ情報を添付した画像ファイルを外部機器へ送信する処理を効率的行うことができる。
【産業上の利用可能性】
【００９０】
本発明に係る撮像装置および撮像方法は、複数のＧＰＳ受信機器からの複数の地点での場所情報を取得し、この情報を利用することによって、ＰＤＡやＰＣでの後処理の拡張性、さらに効率的な送信処理をすることにより、その利便性を向上させることができ、ＧＰＳ情報等を有する画像ファイルの各情報を無線通信で取得するのに有用である。
【図面の簡単な説明】
【００９１】
【図１】本発明の実施形態１における撮像装置の一例であるデジタルカメラの外観を示す（ａ）は上面図、（ｂ）は正面図、（ｃ）は背面図
【図２】デジタルカメラ内部のシステム構成の概要を示すブロック回路図
【図３】本実施形態１における撮像装置の別の一例である撮影機能を有するＰＤＡ情報端末装置を示すブロック図
【図４】本実施形態１におけるＧＰＳ情報をＯＳＤの標準ディスプレイモードによる表示例を示す図
【図５】本実施形態１におけるＧＰＳ情報をＯＳＤのＧＰＳディスプレイモードによる表示例を示す図
【図６】本実施形態１における無線接続して通信を行うＢluetoothプロトコルスタック構造を示す図
【図７】本実施形態１である撮像装置とＧＰＳ受信機器とのＳＰＰプロトコルによるシーケンスを示す図
【図８】本実施形態１におけるＧＰＳ情報のデータフォーマットの例を示す図
【図９】本実施形態１であるＢluetooth通信のＳＰＰプロトコルによるマルチ接続のシーケンスを示す図
【図１０】無線ネットワークの予め登録されている接続設定例を示す図
【図１１】本発明の実施形態２における外部機器との通信処理の手順を示すフローチャート
【図１２】無線ネットワークの接続先選択の画面表示例を示す図
【図１３】バックグラウンドで行われる無線ネットワークへの接続処理のフローチャート
【図１４】「接続中」の画面表示例を示す図
【図１５】本実施形態２におけるもう一つの外部機器との通信処理の手順を示すフローチャート
【図１６】通信モード選択の画面表示例を示す図
【符号の説明】
【００９２】
１０  ＬＣＤモニタ
１０３  ＳＤＲＡＭ
１０７  ＲＡＭ
１２１  メモリカードスロットル
１３０  Ｂluetooth通信回路
１０４３  ＣＰＵブロック
ＳＷ１〜１４  操作キー
【図１】
2008199356.tif 000003
【図２】
2008199356.tif 000004
【図３】
2008199356.tif 000005
【図４】
2008199356.tif 000006
【図５】
2008199356.tif 000007
【図６】
2008199356.tif 000008
【図７】
2008199356.tif 000009
【図８】
2008199356.tif 000010
【図９】
2008199356.tif 000011
【図１０】
2008199356.tif 000012
【図１１】
2008199356.tif 000013
【図１２】
2008199356.tif 000014
【図１３】
2008199356.tif 000015
【図１４】
2008199356.tif 000016
【図１５】
2008199356.tif 000017
【図１６】
2008199356.tif 000018